(57)【要約】【課題】  整流電圧のリップル最大値の充電時が過ぎた平滑コンデンサー放電時は、電圧下降中であり、音声信号に伴う負荷電流増減に対する放電力も下降中となり、アンプのスピーカー駆動力が不安定となる。 そのような充電時を含まない放電時も、充電作用を求め、放電力を高めることによって、アンプのスピーカー駆動力改善による高音質化を課題とする。【解決手段】  リップル最大値間隔での平滑コンデンサーの充電休止中でも、負荷によるリップルがC1,C2回路によって生じるL1リップル電流を、L2に逆向きのリップル電流となる結線2とすることにより、電源電圧＋L2に発生する電圧をC2に充電し、C2充電電圧＋L2に発生する電圧を放電し、充電、放電を増加させ、負荷への電力供給を高めるためのトランス入力平滑回路を設ける。【選択図】図１
2017021457.tif 000002
【特許請求の範囲】
【請求項１】
電源＋極が繋がる複巻きトランス双方のコイルL1, L2に、それぞれコンデンサーC1, C2の＋極が直列接続し、コンデンサーC1, C2の−極に電源−極が繋がることにおいて、コイルL2に対しL1 の電流方向が逆となる結線2とし、L1に並列接続するコンデンサーC3を設けるトランス入力平滑回路。
【請求項２】
コイルL1, L2に並列接続するノイズ防止用コンデンサーC4, C5を設けた請求項１記載のトランス入力平滑回路。
【請求項３】
電源電圧に等しい電圧が、コンデンサーC1, C2に充電されると共に、充電、放電によるコイルL1の電流方向が、コイルL2と逆向きとなる結線により、コンデンサーC2充電時は、コイルL2の電源＋側に−が生じ、コンデンサーC2放電時は、コイルL2の電源＋側に＋が生じることにより、充電時は（電源電圧＋L1電圧）がコンデンサーC2に充電され、放電時は（C2電圧＋L2電圧）が電源に放電する結果、充電が増加され放電が増加されることによって負荷への電力供給増加を得る請求項１記載のトランス入力平滑回路。
【発明の詳細な説明】
【技術分野】
【０００１】
本発明は、オーディオ機器の電源平滑回路に関する。
【背景技術】
【０００２】
一般のオーディオ機器における平滑回路はコンデンサーインプット型が主流であり、平滑コンデンサーが用いられる
【発明の概要】
【発明が解決しようとする課題】
【０００３】
交流を整流してからのリップル（脈流）を平滑コンデンサーによって一定の直流電圧を得るが、電力消費が無いときは平滑コンデンサーの放電がなく電圧最大値が充電され、最大値持続によってリップルは生じないものであるが、負荷が増すほどコンデンサーの充電時と放電時の電位差を増しリップルが大きくなる。
【０００４】
整流電圧のリップル最大値から最低値において、最大値はコンデンサーの充電時が過ぎ、放電時の電圧下降中であり、充電時より放電力が低下しつつ電力供給されるアンプが、音声信号を増幅およびスピーカーを駆動することが不安定となり、歪み音の要因となる。
【０００５】
そのような放電時も、充電作用を求め、放電力を高めることによって、アンプのスピーカー駆動力改善による高音質化を課題とする。
【課題を解決するための手段】
【０００６】
平滑コンデンサーの充電休止中でも、負荷によるリップルの電流変化に反応して、充電、放電を高めるためのトランス入力平滑回路を設ける。
100V電源トランスを利用でき、変圧比100:3〜100:10または二次コイルの3:3程度によって可能である。
【０００７】
複巻きトランス双方のコイルに、それぞれコンデンサー＋側と直列接続とする。
このとき、電源＋にコイル、電源−にコンデンサーが接続される。
コイルに電流を発生し易くするために、片方のコイルにコンデンサーを並列接続し、これを一次コイルとする。
二次コイル電流方向に対し一次コイル電流方向が逆になるように結線する。
そのように、双方のコイルにそれぞれ直列接続するコンデンサーの充電、放電の電流を双方のコイルに通過させる。  
片方のコイル巻き数が多い場合、多い方のコイルにコンデンサーを並列接続し、これを一次コイルとし、少ない巻き数が二次コイルとする。
双方のコイルの過渡的電流によるノイズ防止のための小容量のコンデンサーを並列接続する。  
【０００８】
リップルがない時、コイルに直列のコンデンサー電圧は、電源電圧に等しい。
この状態で、リップルが生じると、コンデンサー電流の流入、流出による一次コイルおよび二次コイルに交流電圧が生じる。
コンデンサーとコイルは直列であり、コンデンサーに蓄えられている直流電圧にコイルの電圧変化が直列に加わわる。
【０００９】
二次コイル電流に対し一次コイル電流が逆方向となる結線によって、電源のプラス側に対し、二次コイルの電圧は反転され、充電時にマイナス電圧、放電時はプラス電圧となることによって、（電源電圧＋コイル電圧）が充電され、（充電電圧＋コイル電圧）が放電されることによって、充電、放電が増加され、負荷への電流供給が増加できる。
整流のリップル最大値間隔の充電休止中であっても、一次コイルに生じるリップル電圧が二次コイルに反転された電圧が加わり、充電と放電が増加される。
【発明の効果】
【００１０】
電源の整流によるリップルと負荷電流変動に伴うリップルが生じるとき、トランス入力平滑回路が電源に並列接続することによって、二次コイルと直列のコンデンサーに充電時は（電源電圧＋コイル電圧）が充電され、放電時は（充電電圧＋コイル電圧）が放電され、コイル±電圧分が加わることによって、負荷の電流減の時、充電増加、負荷の電流増の時、放電増加となり、音声信号の電流増減のタイミングで電力供給を一層高めることが可能であり、アンプのスピーカー制動力の向上や歪み感低減としてスピカー再生音に反映されやすい。
【図面の簡単な説明】
【００１１】
【図１】本発明の実施例を示すトランス入力平滑回路。
【図２】本発明の実施例を示す正負２電源に対応するトランス入力平滑回路。
【発明を実施するための形態】
【００１２】
コンデンサーで平滑された直流電源を基に、トランス入力平滑回路が充電、放電を増加させる。
直流電源はオーディオ機器の整流平滑回路の他、バッテリー、AC-DCアダプタでも可能で並列接続によって実施できる。
トランスの容量は、リップルによる交流電流に対応できれば良いため、電源定格電流の1/10程度でも可能である。
既存の100V用電源トランスを利用するので、電圧比で100:3〜100:12程度でも作用効果を得られるが、二次巻き数が少ない100:3の方がコイルにリップル電流を生じ易くできる。
一次コイルの巻き数も少ない方が、なお好ましいため、二次コイルのみを使い3V２回路（3:3）のものも選択できる。
コイルと直列コンデンサーの容量は、電源容量や実装コストに見合う可能な限り大きな容量を選択することは好ましく、逆に、都合により容量を下げても高音域の歪み感低減効果は確保されやすい。
【実施例】
【００１３】
一般のアンプ、CDプレーヤー、その他のオーディオ機器の直流電源に組み込むか、または配線接続によって、作用効果を得るトランス入力平滑回路の実施例を説明する。
図1の実施例で使用する既存の100V用トランスの規格は、二次定格電流0.33A, 3V（２回路）を使い、一次100Vは無くてもよいので開放である。
【００１４】
トランスのL1 , L2にC1 , C2の＋極がそれぞれ直列接続し、その両端に電源の直流電圧＋V,−Vが入力するが、C1 , C2の充電、放電による, L2の電流方向に対し、L1の電流方向 を逆とする結線2である。
注意として、C1 , C2の位置を電源＋側にすると、コイルへの電流方向が変わってしまうので不可である。
L1と並列のC3によって電流を増すが、ある程度の容量を超えると電流が減るので容量の上限を有する。
C4, C5はノイズ防止用であり、過渡的波形（方形波）を入力することによるノイズ低下を求められる値とした。
コンデンサーの容量は、実装スペースやコストに対する効果などを考慮し、C1は 2000μF 、 C2, C3は10000μとした。
C1, C2の耐電圧は電源電圧以上が必要であるが、C3, C4, C5はリップルに伴う小電圧のため5Vとした。
【００１５】
簡単な機能動作のテストとしては、電源として乾電池1,5V〜3Vを繋ぎ、L2＋側にアナログテスターDC 0.1Vレンジにて、テスト棒＋を繋ぎ、L2−側にテスト棒−を繋ぎ、電源間をコード0Ωで短絡接触した瞬間の放電時は針が＋へ振れて戻り、放した瞬間の充電時は−へ振れる。
これによって、放電時は、C2電圧と順方向に生じるL2瞬間電圧が増加され、放した時は、電源電圧と順方向に生じるL2瞬間電圧が増加されて、C2に充電されることとして確認できる。
【００１６】
正負２電源にするには、もう一組たす方法もあるが、図4に示すようにすれば部品数を倍にしなくて良いものである。
【符号の説明】
【００１７】
1             複巻きトランス            
2            逆電流にする結線
L1          一次コイル
L2          二次コイル
C1          一次直列電解コンデンサー
C2          二次直列電解コンデンサー
C3           L1並列電解コンデンサー
C4           L2のノイズ防止コンデンサー
C5           L1のノイズ防止コンデンサー
1μF〜10000μF  コンデンサー容量を示す
3:3        100V用電源トランスにおける二次２回路の電圧比
100:3:3  100V用電源トランスの電圧比
＋V      電源＋接続部
−V      電源−接続部
0V       電源中点接続部
【図１】
2017021457.tif 000003
【図２】
2017021457.tif 000004